(57)【要約】【課題】  複数の入力端子にそれぞれ接続された装置のうち、聴取を希望する装置を変更する場合でも、その都度入力端子の切換え作業をする必要がなく、また、予約録画機能を備える装置の予約録画の開始によって入力端子が勝手に切換わってしまうことを防止することができるオーディオ信号増幅装置を提供する。【解決手段】  他の装置から出力されたオーディオ信号を入力する複数の入力端子と、複数の入力端子のうち増幅部にオーディオ信号を入力する入力端子を切換えにより選択する切換部と、送信された再生開始の指示信号を受信する受信部と、再生開始の指示信号を複数の入力端子にそれぞれ対応させて記憶する記憶部と、記憶部に記憶した再生開始の指示信号と一致する信号を受信したとき増幅部にオーディオ信号を入力する入力端子を再生開始の指示信号に対応する入力端子に切換えるよう切換部を制御する制御部とを備える。【選択図】      図２
2007124631.tif 000002
【特許請求の範囲】
【請求項１】
入力されたオーディオ信号を増幅する増幅部を備え当該増幅部によって増幅したオーディオ信号を出力するオーディオ信号増幅装置において、
再生開始の指示信号に応じてオーディオ信号の再生を開始する複数の他の装置にそれぞれ接続し当該他の装置から出力されたオーディオ信号を入力する複数の入力端子と、前記複数の入力端子のうち前記増幅部にオーディオ信号を入力する入力端子を切換えにより選択する切換部と、前記入力端子に接続された他の装置に送信された再生開始の指示信号を受信する受信部と、前記受信部が受信した再生開始の指示信号を前記複数の入力端子にそれぞれ対応させて記憶する記憶部と、前記記憶部に記憶した再生開始の指示信号と一致する信号を前記受信部が受信したとき前記増幅部にオーディオ信号を入力する入力端子を当該再生開始の指示信号に対応する入力端子に切換えるよう前記切換部を制御する制御部とを備えることを特徴とするオーディオ信号増幅装置。
【請求項２】
入力されたオーディオ信号を増幅する増幅部を備え当該増幅部によって増幅したオーディオ信号を出力するオーディオ信号増幅装置において、
再生開始及び再生停止の指示信号に応じてオーディオ信号の再生の開始及び再生の停止を行う複数の他の装置にそれぞれ接続し当該他の装置から出力されたオーディオ信号を入力する複数の入力端子と、前記複数の入力端子のうち前記増幅部にオーディオ信号を入力する入力端子を切換えにより選択する切換部と、前記入力端子に接続された他の装置に送信された再生開始及び再生停止の指示信号を受信する受信部と、前記受信部が受信した再生開始又は再生停止の指示信号を前記複数の入力端子にそれぞれ対応させて記憶する記憶部と、前記記憶部に記憶した再生開始の指示信号と一致する信号を前記受信部が受信したとき前記増幅部にオーディオ信号を入力する入力端子を当該再生開始の指示信号に対応する入力端子に切換えるよう前記切換部を制御し、前記切換部が選択している入力端子に対応する再生停止の指示信号と一致する信号を前記受信部が受信したとき前記増幅部にオーディオ信号を入力する入力端子を直前に選択した入力端子に切換えるよう制御する制御部とを備えることを特徴とするオーディオ信号増幅装置。
【請求項３】
入力されたオーディオ信号を増幅する増幅部を備え当該増幅部によって増幅したオーディオ信号を出力するオーディオ信号増幅装置において、
再生開始及び再生停止の指示信号に応じてオーディオ信号の再生の開始及び再生の停止を行う複数の他の装置にそれぞれ接続し当該他の装置から出力されたオーディオ信号を入力する複数の入力端子と、
前記複数の入力端子のうち前記増幅部にオーディオ信号を入力する入力端子を切換えにより選択する切換部と、
前記入力端子に接続された他の装置に送信された再生開始及び再生停止の指示信号を受信する受信部と、
前記受信部が受信した再生開始又は再生停止の指示信号を前記複数の入力端子にそれぞれ対応させて記憶する指示信号記憶領域と前記受信部が受信した再生開始及び再生停止の指示信号の受信履歴を記憶する受信履歴記憶領域を備える記憶部と、
前記記憶部の指示信号記憶領域に記憶した再生開始の指示信号と一致する信号を前記受信部が受信したとき前記増幅部にオーディオ信号を入力する入力端子を当該再生開始の指示信号に対応する入力端子に切換えるよう前記切換部を制御し、
前記切換部が選択している入力端子に対応する再生停止の指示信号と一致する信号を前記受信部が受信したとき前記記憶部の受信履歴記憶領域に記憶した再生開始及び再生停止の指示信号の受信履歴に基づいて前記増幅部にオーディオ信号を入力する入力端子を以前に再生開始の指示信号を受信し当該再生開始の指示信号を受信した後に再生停止の指示信号を受信していない信号に対応する入力端子のうち最新に再生開始の指示信号を受信した信号に対応する入力端子に切換えるよう制御する制御部とを備えることを特徴とするオーディオ信号増幅装置。
【発明の詳細な説明】
【技術分野】
【０００１】
本発明は、入力されたオーディオ信号を増幅する増幅部を備え当該増幅部によって増幅したオーディオ信号を出力するオーディオ信号増幅装置に関する。
【背景技術】
【０００２】
従来のオーディオ信号増幅装置として、ＣＤ（Compact Disc）プレーヤやＤＶＤ（Digital Versatile Disc)プレーヤ等の光ディスク再生装置やＴＶ（television）放送を録画することが可能な映像記録再生装置等と接続する複数の入力端子を備え、当該複数の入力端子のうち、選択された１の入力端子に入力されたオーディオ信号を増幅し、増幅したオーディオ信号を出力端子に接続されたスピーカに出力するオーディオ信号増幅装置がある（例えば、特許文献１参照。）。
【０００３】
従来のオーディオ信号増幅装置に接続される光ディスク再生装置や映像信号記録再生装置には、通常、これらの装置を遠隔操作することが可能なリモコンがそれぞれの装置毎に付属していることが多い。これらのリモコンは、装置による再生の開始や再生の停止等の指示をする操作部を備え、この操作部によって指示された指示信号を赤外線によって送信する。一方、光ディスク再生装置や映像信号記録再生装置は、リモコンから送信された指示信号を受信する受信部を備え、この受信した指示信号に応じて再生の開始や停止等の動作を行う。このように、光ディスク再生装置や映像信号記録再生装置は、使用者が装置の近くに居なくても、リモコンを操作することによって、再生開始や再生停止等の動作を遠隔操作することができる。
【０００４】
使用者がオーディオ信号を聴取する場合は、通常、スピーカから放音されるオーディオ信号を最適な位置で聴取できるように、前述した光ディスク再生装置、映像記録再生装置及び従来のオーディオ信号増幅装置等から離れた場所にスピーカを配置し、リモコンの操作部を操作することで、これらの装置の再生開始や再生停止の遠隔操作を行う。
【０００５】
しかしながら、複数の入力端子に接続されたこれらの装置のうち、聴取を希望する装置を他の装置に変更しようとする場合は、オーディオ信号増幅装置本体に備えた操作部や付属のリモコンを操作し、増幅して出力させるためのオーディオ信号を入力する入力端子を使用者が聴取を希望する装置に接続された入力端子に切換える必要がある。このため、使用者は聴取を希望する装置を他の装置に変更する度に、オーディオ信号増幅装置の操作部やリモコンを操作する必要がある。このため、オーディオ信号増幅装置の入力端子に接続された他の装置にリモコンを備えていても、聴取を希望する装置を他の装置に変更する場合は、当該他の装置に付属のリモコンの操作に加えて、オーディオ信号増幅装置の操作部やオーディオ信号増幅装置に付属のリモコンの操作が必要となってしまい、これらの操作が煩わしいものとなる。
【０００６】
この課題を解決するために、オーディオ信号を再生させる装置を他の装置に変更する場合であっても、新たに聴取を希望する他の装置の再生を開始するのみで、入力信号の選択を自動的に行うことが可能な装置がある（例えば、特許文献２参照。）。この装置は、複数の入力端子に入力されるオーディオ信号を監視し、新たにオーディオ信号が入力された場合、出力信号として選択する入力端子をその新たにオーディオ信号が入力された入力端子に切換えるものである。
【０００７】
この特許文献２に開示された構成を特許文献１に開示されたオーディオ信号増幅装置に用いることにより、オーディオ信号増幅装置に接続された複数の装置のうち、聴取を希望する装置を他の装置に変更する場合であっても、新たに聴取を希望する装置の再生を開始させる操作をすることのみで、オーディオ信号増幅装置が増幅しスピーカに出力するオーディオ信号を入力する入力端子を自動的に切換えることができる。
【０００８】
【特許文献１】特開平５−６４２９９号公報
【特許文献２】特開２００４−１２８７１３号公報
【発明の開示】
【発明が解決しようとする課題】
【０００９】
従来のＴＶ放送を録画することが可能な映像記録再生装置は、時刻情報を出力する時計部を備え、予め使用者が録画を希望する番組の時刻を設定しておくことで、その時計部の時刻情報に基づいて、使用者が録画を希望する番組を自動的に録画することができる予約録画機能を備えるものが多い。
【００１０】
このような予約録画機能を備える映像記録再生装置は、使用者が予め設定した時刻になると、自動的に装置の電源がＯＮとなり、ＴＶ番組の録画を開始する。このとき、映像記録再生装置のオーディオ信号の出力端子からは、録画を開始したＴＶ番組のオーディオ信号が出力されることになる。このため、前述したような特許文献２に開示された構成を特許文献１に開示された従来のオーディオ信号増幅装置に用いた装置の入力端子に、前述した予約録画機能を備える映像記録再生装置を接続すると、例えば、使用者が映像記録再生装置以外の他の装置によって再生するオーディオ信号をオーディオ信号増幅装置から聴取している最中に映像記録再生装置による予約録画が自動的に開始されると、映像記録再生装置の出力部からＴＶ番組のオーディオ信号が出力される。そうすると、オーディオ信号増幅装置においては、増幅させて出力させるオーディオ信号を入力する入力端子が映像記録再生装置と接続された入力端子に自動的に切換わってしまう。このため、使用者が映像記録再生装置以外の他の装置によって再生したオーディオ信号を聴取しているのにも拘らず、映像記録再生装置の自動録画の開始によって、スピーカから放音されるオーディオが映像記録再生装置から出力されたオーディオ信号に勝手に切換わってしまう。
【００１１】
本発明は、入力されたオーディオ信号を増幅するオーディオ信号増幅装置において、複数の入力端子にそれぞれ接続された装置のうち、聴取を希望する装置を他の装置に変更する場合でも、その都度入力端子の切換え作業をする必要がなく、また、予約録画機能を備える装置が入力端子に接続されている場合でも、当該予約録画の開始によって増幅するオーディオ信号を入力する入力端子が勝手に切換わってしまうことを防止することができるオーディオ信号増幅装置を提供することを目的とする。
【課題を解決するための手段】
【００１２】
本願の請求項１記載の発明は、入力されたオーディオ信号を増幅する増幅部を備え当該増幅部によって増幅したオーディオ信号を出力するオーディオ信号増幅装置において、再生開始の指示信号に応じてオーディオ信号の再生を開始する複数の他の装置にそれぞれ接続し当該他の装置から出力されたオーディオ信号を入力する複数の入力端子と、前記複数の入力端子のうち前記増幅部にオーディオ信号を入力する入力端子を切換えにより選択する切換部と、前記入力端子に接続された他の装置に送信された再生開始の指示信号を受信する受信部と、前記受信部が受信した再生開始の指示信号を前記複数の入力端子にそれぞれ対応させて記憶する記憶部と、前記記憶部に記憶した再生開始の指示信号と一致する信号を前記受信部が受信したとき前記増幅部にオーディオ信号を入力する入力端子を当該再生開始の指示信号に対応する入力端子に切換えるよう前記切換部を制御する制御部とを備えることを特徴とする。
【００１３】
また、本願の請求項２記載の発明は、入力されたオーディオ信号を増幅する増幅部を備え当該増幅部によって増幅したオーディオ信号を出力するオーディオ信号増幅装置において、再生開始及び再生停止の指示信号に応じてオーディオ信号の再生の開始及び再生の停止を行う複数の他の装置にそれぞれ接続し当該他の装置から出力されたオーディオ信号を入力する複数の入力端子と、前記複数の入力端子のうち前記増幅部にオーディオ信号を入力する入力端子を切換えにより選択する切換部と、前記入力端子に接続された他の装置に送信された再生開始及び再生停止の指示信号を受信する受信部と、前記受信部が受信した再生開始又は再生停止の指示信号を前記複数の入力端子にそれぞれ対応させて記憶する記憶部と、前記記憶部に記憶した再生開始の指示信号と一致する信号を前記受信部が受信したとき前記増幅部にオーディオ信号を入力する入力端子を当該再生開始の指示信号に対応する入力端子に切換えるよう前記切換部を制御し、前記切換部が選択している入力端子に対応する再生停止の指示信号と一致する信号を前記受信部が受信したとき前記増幅部にオーディオ信号を入力する入力端子を直前に選択した入力端子に切換えるよう制御する制御部とを備えることを特徴とする。
【００１４】
また、本願の請求項３記載の発明は、入力されたオーディオ信号を増幅する増幅部を備え当該増幅部によって増幅したオーディオ信号を出力するオーディオ信号増幅装置において、再生開始及び再生停止の指示信号に応じてオーディオ信号の再生の開始及び再生の停止を行う複数の他の装置にそれぞれ接続し当該他の装置から出力されたオーディオ信号を入力する複数の入力端子と、前記複数の入力端子のうち前記増幅部にオーディオ信号を入力する入力端子を切換えにより選択する切換部と、前記入力端子に接続された他の装置に送信された再生開始及び再生停止の指示信号を受信する受信部と、前記受信部が受信した再生開始又は再生停止の指示信号を前記複数の入力端子にそれぞれ対応させて記憶する指示信号記憶領域と前記受信部が受信した再生開始及び再生停止の指示信号の受信履歴を記憶する受信履歴記憶領域を備える記憶部と、前記記憶部の指示信号記憶領域に記憶した再生開始の指示信号と一致する信号を前記受信部が受信したとき前記増幅部にオーディオ信号を入力する入力端子を当該再生開始の指示信号に対応する入力端子に切換えるよう前記切換部を制御し、前記切換部が選択している入力端子に対応する再生停止の指示信号と一致する信号を前記受信部が受信したとき前記記憶部の受信履歴記憶領域に記憶した再生開始及び再生停止の指示信号の受信履歴に基づいて前記増幅部にオーディオ信号を入力する入力端子を以前に再生開始の指示信号を受信し当該再生開始の指示信号を受信した後に再生停止の指示信号を受信していない信号に対応する入力端子のうち最新に再生開始の指示信号を受信した信号に対応する入力端子に切換えるよう制御する制御部とを備えることを特徴とする。
【発明の効果】
【００１５】
本発明のオーディオ信号増幅装置によれば、入力されたオーディオ信号を増幅するオーディオ信号増幅装置において、複数の入力端子にそれぞれ接続された装置のうち、聴取を希望する装置を他の装置に変更する場合でも、その都度入力端子の切換え作業をする必要がなく、また、予約録画機能を備える装置が入力端子に接続されている場合でも、当該予約録画の開始によって増幅するオーディオ信号を入力する入力端子が勝手に切換わってしまうことを防止することができるオーディオ信号増幅装置を提供することができる。
【発明を実施するための最良の形態】
【００１６】
本発明の実施の形態を図面を参照して説明する。なお、従来技術で示した構成要素と同一の部分については説明を省略する。
【００１７】
図１は、本発明の第１実施例のオーディオ信号増幅装置を示す斜視図である。
オーディオ信号増幅装置１００は、前面に受光部７及び操作部１１を備え、後面に後述する第１の入力端子、第２の入力端子及び第３の入力端子を備える。第１の入力端子、第２の入力端子及び第３の入力端子は、導電ケーブル（図示しない）を介してそれぞれ第１の装置２１、第２の装置２２及び第３の装置２３のそれぞれの後面に備える出力端子（図示しない）に接続される。第１の装置２１及び第２の装置２２は、それぞれ光ディスクに記録されたオーディオ信号を再生する光ディスク再生装置であり、また、第３の装置２３は、予約録画機能を備える映像記録再生装置である。図１に示すように、オーディオ信号増幅装置１００、第１の装置２１、第２の装置２２及び第３の装置２３は、それぞれ近接した位置に配設される。
【００１８】
第１の装置２１、第２の装置２２及び第３の装置２３は、それぞれ第１のリモコン２１０、第２のリモコン２２０及び第３のリモコン２３０を備える。第１のリモコン２１０〜第３のリモコン２３０は、それぞれ操作部５１及び発光部５２を備える。操作部５１は、再生開始指示釦及び再生停止指示釦を備える。発光部５２は、操作部５１の再生開始釦を押すことによって、再生開始指示信号を赤外線に変換して発光する。また、発光部５２は、操作部５１の再生停止釦を押すことによって、再生停止指示信号を赤外線に変換して発光する。このとき、第１のリモコン２１０〜第３のリモコン２３０のそれぞれの発光部５２から発光される赤外線は、上下左右のある一定の範囲に亘って発光される。図１に示すように、オーディオ信号増幅装置１００を第１の装置２１、第２の装置２２及び第３の装置２３に近接した位置に配設しておくことにより、第１のリモコン２１０〜第３のリモコン２３０がそれぞれ第１の装置２１〜第３の装置２３の受光部２１１に向けて赤外線を発光した場合、その赤外線がオーディオ信号増幅装置１００の受光部７にも受光される。
【００１９】
第１の装置２１〜第３の装置２３は、それぞれ前面にリモコンから発光される赤外線を受光する受光部２１１を備え、受光した赤外線を指示信号に変換し、変換した指示信号に応じた動作を行う。第１実施例においては、第１のリモコン２１０の再生開始指示釦及び再生停止指示釦を押すことによってそれぞれ再生開始指示信号Ａ１及び再生停止指示信号Ａ２を出力し、第２のリモコン２２０の再生開始指示釦及び再生停止指示釦を押すことによってそれぞれ再生開始指示信号Ｂ１及び再生停止指示信号Ｂ２を出力し、第３のリモコン２３０の再生開始指示釦及び再生停止指示釦を押すことによってそれぞれ再生開始指示信号Ｃ１及び再生停止指示信号Ｃ２を出力するものとする。
【００２０】
第１の装置２１は、第１のリモコン２１０から出力された再生開始指示信号Ａ１及び再生停止指示信号Ａ２に応じて、光ディスクに記録されたオーディオ信号やビデオ信号の再生を開始する動作及び再生を停止する動作を行う。また、第２の装置２２は、第２のリモコン２２０から出力された再生開始指示信号Ｂ１及び再生停止指示信号Ｂ２に応じて、光ディスクに記録されたオーディオ信号やビデオ信号の再生を開始する動作及び再生を停止する動作を行う。また、第３の装置２３は、第３のリモコン２３０から出力された再生開始指示信号Ｃ１及び再生停止指示信号Ｃ２に応じて、ハードディスク又は光ディスクに記録されたオーディオ信号やビデオ信号の再生を開始する動作及び再生を停止する動作を行う。
【００２１】
図２は、本発明の第１実施例のオーディオ信号増幅装置１００の構成を示すブロック図である。
オーディオ信号増幅装置１００は、図１において説明した第１の入力端子１、第２の入力端子２、第３の入力端子３、受光部７及び操作部１１の他に、切換部４、増幅部５、出力端子６、変換部８、制御部９及び記憶部１０を備える。
【００２２】
切換部４は、制御部９の制御により、第１の入力端子１〜第３の入力端子３の中から増幅部５にオーディオ信号を入力する入力端子を切換えにより選択する。増幅部５は、切換部４によって選択された入力端子から入力されたオーディオ信号を増幅し、増幅した信号を出力端子６に出力する。出力端子６は図示しないスピーカに導電ケーブルによって接続される。スピーカは出力端子６から出力されたオーディオ信号をオーディオとして放音する。操作部１１は、操作によって増幅部５のオーディオ信号の増幅度を変化させる指示信号を出力する。制御部９は、操作部１１から出力された指示信号に応じてオーディオ信号の増幅度を変化させるよう増幅部５を制御する。
【００２３】
受光部７は、第１のリモコン２１０〜第３のリモコン２３０のそれぞれの発光部５２から発光された赤外線を受光する。変換部８は、受光部７が受光した赤外線を指示信号に変換する。記憶部１０は、予め、第１のリモコン２１０から出力される再生開始指示信号及び再生停止指示信号を第１の入力端子１に対応させて記憶する。また、記憶部１０は、予め、第２のリモコン２２０から出力される再生開始指示信号及び再生停止指示信号を第２の入力端子２に対応させて記憶する。また、記憶部１０は、予め、第３のリモコン２３０から出力される再生開始指示信号及び再生停止指示信号を第３の入力端子３に対応させて記憶する。
【００２４】
第１実施例においては、第１のリモコン２１０〜第３のリモコン２３０から出力される再生開始指示信号及び再生停止指示信号を記憶部１０が予め記憶する構成としたが、使用者が操作によって任意のリモコンから出力される再生開始指示信号及び再生停止指示信号をそれぞれの入力端子に対応させて記憶部１０に記憶させることができる構成としても良い。この場合、受光部７が受光し変換部８が変換した再生開始指示信号及び再生停止指示信号を入力端子に対応させて記憶するよう指示する記憶指示部を備え、使用者が記憶指示を操作しながら任意のリモコンから再生開始指示信号及び再生停止指示信号を出力させることにより、この指示信号を記憶部１０に記憶させる構成とする。このことにより、使用者が第１の入力端子１〜第３の入力端子３に接続する装置を別の装置に変更する場合でも、記憶部１０に記憶させる再生開始指示信号及び再生停止指示信号を変更することができる。
【００２５】
制御部９は、受光部７が受光し変換部８によって変換された指示信号が記憶部１０に記憶した再生開始指示信号又は再生停止指示信号のいずれかと一致するか否かを検出する。
【００２６】
制御部９は、受光部７が受光し変換部８によって変換された指示信号が記憶部１０に記憶した第１の入力端子１〜第３の入力端子３に対応する再生開始指示信号のいずれかと一致するとき、切換部４が選択する入力端子をその一致した再生開始指示信号に対応する入力端子に切換えるよう切換部４を制御する。また、制御部９は、受光部７が受光し変換部８によって変換された指示信号が記憶部１０に記憶した第１の入力端子１〜第３の入力端子３に対応する再生停止指示信号であって、かつ、切換部４が現在選択している入力端子に対応する再生停止指示信号であるとき、切換部４が選択する入力端子をその直前に選択した入力端子に切換えるよう切換部４を制御する。
【００２７】
図３は、本発明の第１実施例のオーディオ信号増幅装置１００の制御部９による切換部４の入力端子の切換えの制御を示すフローチャート図である。
【００２８】
ステップ１において、制御部９は、受光部７が受光し変換部８が変換した指示信号が再生開始指示信号または再生停止指示信号であるか、つまり、受光部７及び変換部８が再生開始指示信号または再生停止指示信号を受信したか否かを判別する。ステップ１において、受光部７及び変換部８が再生開始指示信号または再生停止指示信号を受信した場合は、ステップ２に移行する。
【００２９】
ステップ２において、制御部９は、受光部７及び変換部８が受信した指示信号が再生開始指示信号であるか再生停止指示信号であるかを判別し、受信した指示信号が再生開始指示信号である場合はステップ３に移行し、受信した指示信号が再生停止指示信号である場合はステップ４に移行する。
【００３０】
ステップ３において、制御部９は、切換部４が選択する入力端子を判別した再生開始指示信号に対応する入力端子に切換えるよう切換部４を制御し、ステップ１に戻る。ステップ４において、制御部９は、判別した再生停止指示信号が、切換部４が現在選択している入力端子であるか否かを判別し、判別した再生停止指示信号が切換部４が現在選択している入力端子でない場合はステップ１に戻り、判別した再生停止指示信号が切換部４が現在選択している入力端子である場合はステップ５に移行する。ステップ５において、制御部９は、切換部４が選択する入力端子をその直前に選択した入力端子に切換えるよう切換部４を制御する。
【００３１】
図４は、本発明の第１実施例のオーディオ信号増幅装置において、第１のリモコン〜第３のリモコンから再生開始指示信号または再生停止指示信号が出力される過程と、そのときに切換部４が選択する入力端子の切換えの過程を示す図である。
第１実施例において、オーディオ信号増幅装置１００の記憶部１０は、予め、第１のリモコン２１０から出力される再生開始指示信号Ａ１及び再生停止指示信号Ａ２を第１の入力端子１に対応させて記憶し、また、第２のリモコン２２０から出力される再生開始指示信号Ｂ１及び再生停止指示信号Ｂ２を第２の入力端子２に対応させて記憶し、また、第３のリモコン２３０から出力される再生開始指示信号Ｃ１及び再生停止指示信号Ｃ２を第３の入力端子３に対応させて記憶しているものとする。
【００３２】
例えば、先ず、１のリモコン２１０から再生開始指示信号Ａ１が出力されると、図１に示す第１の装置２１（光ディスク再生装置）は、受光部２１１によってこの再生開始指示信号Ａ１を受信し、光ディスクに記録されたオーディオ信号の再生を開始する。このとき、オーディオ信号増幅装置１００の制御部９は、受光部７及び変換部８から受信した指示信号が再生開始指示信号Ａ１であると判別し、図３のステップ３に示すように、切換部４が選択する入力端子を判別した再生開始指示信号Ａ１に対応する第１の入力端子１に切換えるよう切換部４を制御する。
【００３３】
次に、例えば、第２のリモコン２２０から再生開始指示信号Ｂ１が出力されると、図１に示す第２の装置２２（光ディスク再生装置）は、受光部２１１によってこの再生開始指示信号Ｂ１を受信し、光ディスクに記録されたオーディオ信号の再生を開始する。このとき、オーディオ信号増幅装置１００の制御部９は、受光部７及び変換部８から受信した指示信号が再生開始指示信号Ｂ１であると判別し、図３のステップ３に示すように、切換部４が選択する入力端子を判別した再生開始指示信号Ｂ１に対応する第２の入力端子２に切換えるよう切換部４を制御する。
【００３４】
次に、例えば、第３のリモコン２３０から再生開始指示信号Ｃ１が出力されると、図１に示す第３の装置２３（映像記録再生装置）は、受光部２１１によってこの再生開始指示信号Ｃ１を受信し、記録媒体に記録されたＴＶ番組の再生を開始する。このとき、オーディオ信号増幅装置１００の制御部９は、受光部７及び変換部８から受信した指示信号が再生開始指示信号Ｃ１であると判別し、図３のステップ３に示すように、切換部４が選択する入力端子を判別した再生開始指示信号Ｃ１に対応する第３の入力端子３に切換えるよう切換部４を制御する。
【００３５】
次に、例えば、第３のリモコン２３０から再生停止指示信号Ｃ２が出力されると、図１に示す第３の装置２３（映像記録再生装置）は、受光部２１１によってこの再生停止指示信号Ｃ２を受信し、それまで再生していたＴＶ番組の再生を停止する。このとき、オーディオ信号増幅装置１００の制御部９は、先ず、受光部７及び変換部８から受信した指示信号が再生停止指示信号Ｃ２であると判別し、次に、図３のステップ４に示すように、切換部４が現在選択している第３の入力端子３が、受信した再生停止指示信号Ｃ２に対応する入力端子であると判別する。次に、オーディオ信号増幅装置１００の制御部９は、図３のステップ５に示すように、切換部４が選択する入力端子を第３の入力端子３の直前に選択した入力端子、つまり、第２の入力端子２に切換えるよう切換部４を制御する。
【００３６】
以上のように、本発明の第１実施例のオーディオ信号増幅装置１００は、第１の装置２１〜第３の装置２３を遠隔操作するための第１のリモコン２１０〜第３のリモコン２３０のいずれかのリモコンから再生開始指示信号が出力され、そのリモコンからの再生開始指示信号に応じて再生を開始する第１の装置２１〜第３の装置２３のいずれかの装置が再生を開始した場合、切換部４が選択する入力端子をその再生を開始した装置からのオーディオ信号を入力する入力端子に自動的に切換えることができる。
【００３７】
このことによって、オーディオ信号増幅装置１００の第１の入力端子１〜第３の入力端子３に接続された複数の装置のうち、オーディオ信号を増幅させて出力する装置を他の装置に変更する場合であっても、新たに再生させる装置に対応したリモコンによって再生を開始させる操作をすることのみで、オーディオ信号を増幅させて出力する装置を当該再生を開始した装置に自動的に切換えることができる。
【００３８】
また、本発明の第１実施例のオーディオ信号増幅装置１００は、リモコンからの再生開始指示信号に応じて、切換部４が選択する入力端子を自動的に切換える構成であるため、図４に示すように、例えば、第３の入力端子３に接続された第３の装置２３が予約録画機能を備える映像記録再生装置である場合であって、予約録画が自動的に開始して第３の入力端子３にオーディオ信号が入力された場合でも、増幅部５に入力させる信号が、勝手に第３の装置２３からのオーディオ信号に切換わってしまうことを防止することができる。
【００３９】
また、本発明の第１実施例のオーディオ信号増幅装置１００は、第１の装置２１〜第３の装置２３を遠隔操作するための第１のリモコン２１０〜第３のリモコン２３０のいずれかのリモコンから再生停止指示信号が赤外線によって発光され、かつ、そのリモコンからの再生停止指示信号が切換部４が現在選択している入力端子に対応する再生停止指示信号であるとき、切換部４が選択する入力端子をその直前に選択した入力端子に切換えるよう切換部４を制御する。このことによって、図４に示すように、例えば、第３のリモコン２３０から再生停止指示信号Ｃ２が出力され、第３の装置２３が再生を停止しても、切換部４が選択する入力端子が第３の入力端子３の直前の入力端子である第２の入力端子２に自動的に切換わるので、第２の装置２２が再生状態である場合は、オーディオ信号増幅装置１００の出力端子６から第２の装置２２が再生したオーディオ信号が出力されるので、オーディオ信号増幅装置１００が出力するオーディオ信号が途中で停止しまうことを防止することができる。
【００４０】
次に、本発明の一実施例のオーディオ信号増幅装置の第２実施例について説明する。
第２実施例におけるオーディオ信号増幅装置は、制御部９の制御の内容及び記憶部１０の構成以外は、第１実施例の構成と同じであるため、詳細な説明は省略する。
【００４１】
図５は、本発明の第２実施例のオーディオ信号増幅装置１００の構成を示すブロック図である。
オーディオ信号増幅装置１００は、第１実施例と同様に、第１の入力端子１、第２の入力端子２、第３の入力端子３、切換部４、増幅部５、出力端子６、受光部７、変換部８、制御部９、記憶部１０及び操作部１１を備える。第２実施例におけるオーディオ信号増幅装置１００の第１の入力端子１、第２の入力端子２、第３の入力端子３、切換部４、増幅部５、出力端子６、受光部７、変換部８及び操作部１１の構成については、第１実施例の構成と同じであるため、詳細な説明は省略する。
【００４２】
記憶部１０は、指示信号記憶領域１０１及び受信履歴記憶領域１０２を備える。
指示信号記憶領域１０１には、予め、第１のリモコン２１０から出力される再生開始指示信号及び再生停止指示信号が第１の入力端子１に対応して記憶されている。また、指示信号記憶領域１０１には、予め、第２のリモコン２２０から出力される再生開始指示信号及び再生停止指示信号が第２の入力端子２に対応して記憶されている。また、指示信号記憶領域１０１には、予め、第３のリモコン２３０から出力される再生開始指示信号及び再生停止指示信号が第３の入力端子３に対応して記憶されている。
【００４３】
受信履歴記憶領域１０２は、制御部９の制御により、受光部７が受信した再生開始指示信号及び再生停止指示信号の受信履歴を受信した順に記憶する記憶領域である。
【００４４】
制御部９は、受光部７が受光し変換部８によって変換された指示信号が記憶部１０の指示信号記憶領域１０１に記憶した再生開始指示信号又は再生停止指示信号のいずれかと一致するか否かを検出する。
【００４５】
制御部９は、受光部７が受信した指示信号が記憶部１０の指示信号記憶領域１０１に記憶した第１の入力端子１〜第３の入力端子３に対応する再生開始指示信号のいずれかと一致するとき、切換部４が選択する入力端子をその一致した再生開始指示信号に対応する入力端子に切換えるよう切換部４を制御する。
【００４６】
また、制御部９は、受光部７が受信した指示信号が記憶部１０に記憶した第１の入力端子１〜第３の入力端子３に対応する再生停止指示信号であって、かつ、切換部４が現在選択している入力端子に対応する再生停止指示信号であるとき、受信履歴記憶領域１０２に記憶した再生開始指示信号及び再生停止指示信号の受信履歴に基づいて、切換部４が選択する入力端子を、以前に再生開始指示信号を受信し、かつ、当該再生開始指示信号を受信した後に再生停止指示信号を受信していない信号に対応する入力端子のうち、最新に再生開始指示信号を受信した信号に対応する入力端子に切換えるよう切換部４を制御する。
【００４７】
図６は、本発明の第２実施例のオーディオ信号増幅装置１００の制御部９による切換部４の入力端子の切換えの制御を示すフローチャート図である。
【００４８】
ステップ１において、制御部９は、受光部７が受光し変換部８が変換した指示信号が再生開始指示信号または再生停止指示信号であるか、つまり、受光部７が再生開始指示信号または再生停止指示信号を受信したか否かを判別する。ステップ１において、受光部７及が再生開始指示信号または再生停止指示信号を受信した場合は、ステップ２に移行する。
【００４９】
ステップ２において、制御部９は、受光部７が受信した指示信号が再生開始指示信号であるか否かを判別し、受信した指示信号が再生開始指示信号である場合はステップ３に移行し、受信した指示信号が再生開始指示信号でない場合はステップ５に移行する。
【００５０】
ステップ３において、制御部９は、切換部４が選択する入力端子を判別した再生開始指示信号に対応する入力端子に切換えるよう切換部４を制御し、ステップ４に移行する。ステップ４において、制御部９は、受信した再生開始指示信号の受信履歴を受信履歴記憶領域１０２に追加して記憶するよう記憶部１０を制御し、ステップ１に戻る。
【００５１】
ステップ５において、制御部９は、受光部７が受信した指示信号が再生開始指示信号であるか否かを判別し、受信した指示信号が再生停止指示信号である場合はステップ６に移行し、受信した指示信号が再生停止指示信号でない場合はステップ１に戻る。ステップ６において、制御部９は、判別した再生停止指示信号が、切換部４が現在選択している入力端子であるか否かを判別し、判別した再生停止指示信号が切換部４が現在選択している入力端子でない場合はステップ９に移行し、判別した再生停止指示信号が切換部４が現在選択している入力端子である場合はステップ７に移行する。ステップ９において、制御部９は、受信した再生停止指示信号の受信履歴を受信履歴記憶領域１０２に追加して記憶するよう記憶部１０を制御し、ステップ１に戻る。
【００５２】
ステップ７において、制御部９は、受信履歴記憶領域１０２に記憶した再生開始指示信号及び再生停止指示信号の受信履歴に基づいて、切換部４が選択する入力端子を、以前に受光部７が再生開始指示信号を受信し、かつ、当該再生開始指示信号を受信した後に受光部７が再生停止指示信号を受信していない信号に対応する入力端子のうち、最新に再生開始指示信号を受信した信号に対応する入力端子に切換えるよう切換部４を制御し、ステップ８に移行する。ステップ８において、制御部９は、受信した再生停止指示信号の受信履歴を受信履歴記憶領域１０２に追加して記憶するよう記憶部１０を制御し、ステップ１に戻る。
【００５３】
図７は、本発明の第２実施例のオーディオ信号増幅装置において、受信履歴記憶領域１０２に記憶した再生開始指示信号及び再生停止指示信号の受信履歴の一例を示した図である。
図８は、本発明の第２実施例のオーディオ信号増幅装置において、第１のリモコン〜第３のリモコンから再生開始指示信号または再生停止指示信号が出力される過程と、そのときに切換部４が選択する入力端子の切換えの過程を示す図である。
【００５４】
第２実施例において、オーディオ信号増幅装置１００の指示信号記憶領域１０１は、第１実施例と同様に、予め、第１のリモコン２１０から出力される再生開始指示信号Ａ１及び再生停止指示信号Ａ２を第１の入力端子１に対応させて記憶し、また、第２のリモコン２２０から出力される再生開始指示信号Ｂ１及び再生停止指示信号Ｂ２を第２の入力端子２に対応させて記憶し、また、第３のリモコン２３０から出力される再生開始指示信号Ｃ１及び再生停止指示信号Ｃ２を第３の入力端子３に対応させて記憶しているものとする。
【００５５】
例えば、先ず、１のリモコン２１０から再生開始指示信号Ａ１が出力されると、図１に示す第１の装置２１（光ディスク再生装置）は、受光部２１１によってこの再生開始指示信号Ａ１を受信し、光ディスクに記録されたオーディオ信号の再生を開始する。このとき、オーディオ信号増幅装置１００の制御部９は、受光部７が受信した指示信号が再生開始指示信号Ａ１であると判別し、図６のステップ３に示すように、切換部４が選択する入力端子を判別した再生開始指示信号Ａ１に対応する第１の入力端子１に切換えるよう切換部４を制御する。そして、制御部９は、図６のステップ４及び図７に示すように、再生開始指示信号Ａ１を受信した受信履歴を１番目の受信履歴として受信履歴記憶領域１０２に記憶するよう記憶部１０を制御する。
【００５６】
次に、例えば、第２のリモコン２２０から再生開始指示信号Ｂ１が出力されると、図１に示す第２の装置２２（光ディスク再生装置）は、受光部２１１によってこの再生開始指示信号Ｂ１を受信し、光ディスクに記録されたオーディオ信号の再生を開始する。このとき、オーディオ信号増幅装置１００の制御部９は、受光部７が受信した指示信号が再生開始指示信号Ｂ１であると判別し、図６のステップ３に示すように、切換部４が選択する入力端子を判別した再生開始指示信号Ｂ１に対応する第２の入力端子２に切換えるよう切換部４を制御する。そして、制御部９は、図６のステップ４及び図７に示すように、再生開始指示信号Ｂ１を受信した受信履歴を２番目の受信履歴として受信履歴記憶領域１０２に記憶するよう記憶部１０を制御する。
【００５７】
次に、例えば、第３のリモコン２３０から再生開始指示信号Ｃ１が出力されると、図１に示す第３の装置２３（映像記録再生装置）は、受光部２１１によってこの再生開始指示信号Ｃ１を受信し、記録媒体に記録されたＴＶ番組の再生を開始する。このとき、オーディオ信号増幅装置１００の制御部９は、受光部７が受信した指示信号が再生開始指示信号Ｃ１であると判別し、図６のステップ３に示すように、切換部４が選択する入力端子を判別した再生開始指示信号Ｃ１に対応する第３の入力端子３に切換えるよう切換部４を制御する。そして、制御部９は、図６のステップ４及び図７に示すように、再生開始指示信号Ｃ１を受信した受信履歴を３番目の受信履歴として受信履歴記憶領域１０２に記憶するよう記憶部１０を制御する。
【００５８】
次に、例えば、第２のリモコン２２０から再生停止指示信号Ｂ２が出力されると、図１に示す第２の装置２２（光ディスク再生装置）は、受光部２１１によってこの再生停止指示信号Ｂ２を受信し、光ディスクに記録されたオーディオ信号の再生を停止する。このとき、オーディオ信号増幅装置１００の制御部９は、先ず、受光部７が受信した指示信号が再生開始指示信号Ｂ２であると判別し、次に、図６のステップ６に示すように、切換部４が現在選択している第３の入力端子３が、受信した再生停止指示信号Ｂ２に対応する入力端子でないと判別する。そして、制御部９は、図６のステップ９及び図７に示すように、再生停止指示信号Ｂ２を受信した受信履歴を４番目の受信履歴として受信履歴記憶領域１０２に記憶するよう記憶部１０を制御する。
【００５９】
次に、例えば、第３のリモコン２３０から再生停止指示信号Ｃ２が出力されると、図１に示す第３の装置２３（映像記録再生装置）は、受光部２１１によってこの再生停止指示信号Ｃ２を受信し、それまで再生していたＴＶ番組の再生を停止する。このとき、オーディオ信号増幅装置１００の制御部９は、先ず、受光部７が受信した指示信号が再生停止指示信号Ｃ２であると判別し、次に、図６のステップ６に示すように、切換部４が現在選択している第３の入力端子３が、受信した再生停止指示信号Ｃ２に対応する入力端子であると判別する。次に、オーディオ信号増幅装置１００の制御部９は、図６のステップ７に示すように、切換部４が選択する入力端子を、受信履歴記憶領域１０２にそれまでに記憶した再生開始指示信号及び再生停止指示信号の受信履歴に基づいて、切換部４が選択する入力端子を、以前に受光部７が再生開始指示信号を受信し、かつ、当該再生開始指示信号を受信した後に受光部７が再生停止指示信号を受信していない信号に対応する入力端子のうち最新に再生開始指示信号を受信した信号に対応する入力端子、つまり、受信履歴記憶領域１０２にそれまでに記憶した指示信号のうち、再生開始指示信号Ａ１に対応する入力端子である第１の入力端子１に切換えるよう切換部４を制御する。
【００６０】
以上の構成によって、本発明の第２実施例のオーディオ信号増幅装置１００は、第１実施例と同様に、リモコンからの再生開始指示信号に応じて、切換部４が選択する入力端子を自動的に切換える構成であるため、図８に示すように、例えば、第３の入力端子３に接続された第３の装置２３が予約録画機能を備える映像記録再生装置である場合であって、予約録画が自動的に開始して第３の入力端子３にオーディオ信号が入力された場合でも、増幅部５に入力させる信号が、勝手に第３の装置２３からのオーディオ信号に切換わってしまうことを防止することができる。
【００６１】
また、本発明の第２実施例のオーディオ信号増幅装置１００は、受信履歴記憶領域１０２にそれまでに記憶した再生開始指示信号及び再生停止指示信号の受信履歴に基づいて、切換部４が選択する入力端子を、以前に再生開始指示信号を受信し、かつ、当該再生開始指示信号を受信した後に再生停止指示信号を受信していない信号に対応する入力端子のうち、最新に再生開始指示信号を受信した信号に対応する入力端子に切換える構成であるため、図８に示すように、例えば、第３のリモコン２３０から再生停止指示信号Ｃ２が出力されて第３の装置２３が再生を停止した場合、切換部４が選択する入力端子が、第３の入力端子３の直前に切換わっていた第２の入力端子２に自動的に切換わるのではなく、現在も再生が継続されている第１の装置２１に対応する第１の入力端子１に自動的に切換わるので、それまで出力端子６から出力していた第２の装置２２からのオーディオ信号の再生が停止されても、オーディオ信号増幅装置１００の出力端子６からは、現在も再生が継続されている第１の装置２１が再生したオーディオ信号が自動的に出力されるので、オーディオ信号増幅装置１００が出力するオーディオ信号が途中で停止しまうことを防止することができる。
【図面の簡単な説明】
【００６２】
【図１】本発明の第１実施例のオーディオ信号増幅装置を示す斜視図。
【図２】本発明の第１実施例のオーディオ信号増幅装置１００の構成を示すブロック図。
【図３】本発明の第１実施例のオーディオ信号増幅装置１００の制御部９による切換部４の入力端子の切換えの制御を示すフローチャート図。
【図４】本発明の第１実施例のオーディオ信号増幅装置において、第１のリモコン〜第３のリモコンから再生開始指示信号または再生停止指示信号が出力される過程と、そのときに切換部４が選択する入力端子の切換えの過程を示す図。
【図５】本発明の第２実施例のオーディオ信号増幅装置１００の構成を示すブロック図。
【図６】本発明の第２実施例のオーディオ信号増幅装置１００の制御部９による切換部４の入力端子の切換えの制御を示すフローチャート図。
【図７】本発明の第２実施例のオーディオ信号増幅装置において、受信履歴記憶領域１０２に記憶した再生開始指示信号及び再生停止指示信号の受信履歴の一例を示した図。
【図８】本発明の第２実施例のオーディオ信号増幅装置において、第１のリモコン〜第３のリモコンから再生開始指示信号または再生停止指示信号が出力される過程と、そのときに切換部４が選択する入力端子の切換えの過程を示す図。
【符号の説明】
【００６３】
１  第１の入力端子、２  第２の入力端子、３  第３の入力端子、４  切換部、
５  増幅部、６  出力端子、７  受光部、８  変換部、９  制御部、１０  記憶部、
１０１  指示信号記憶領域、１０２  受信履歴記憶領域、
１１  操作部、１００  オーディオ信号増幅装置、
２１  第１の装置、２２  第２の装置、２３  第３の装置、
２１０  第１のリモコン、２２０  第２のリモコン、２３０  第３のリモコン、
２１１  受光部、５１  操作部、５２  発光部
【図１】
2007124631.tif 000003
【図２】
2007124631.tif 000004
【図３】
2007124631.tif 000005
【図４】
2007124631.tif 000006
【図５】
2007124631.tif 000007
【図６】
2007124631.tif 000008
【図７】
2007124631.tif 000009
【図８】
2007124631.tif 000010